(57)【要約】【課題】  略直方体箱状のケーシングの内部が鉛直方向に延びる仕切板により送風機室と機械室とに分割された構造を有する室外ユニットにおいて、液溜容器のサイズを大きくする場合であっても、機械室内において閉鎖弁に接続される冷媒連絡配管の取り出し方向に制約が生じないようにする。【解決手段】  室外ユニット１は、機械室Ｓ2内に配置され冷媒連絡配管が接続される閉鎖弁３７、３８と、機械室Ｓ2内に配置されたレシーバ３３と、レシーバ３３の下部を支持するレシーバ取付板４１とを備えている。レシーバ取付板４１は、ユニットケーシング２の底板２１に固定され、レシーバ３３の下側に冷媒連絡配管を配置することが可能な空間Ｓ6を確保することができる。【選択図】      図５
2005076923.tif 000002
【特許請求の範囲】
【請求項１】
略直方体箱状のケーシング（２）の内部が鉛直に延びる仕切板（２５）及び熱交換器の管板（２６）により送風機室（Ｓ1）と機械室（Ｓ2）とに分割された構造を有し、室内ユニットに冷媒連絡配管（６１）を介して接続される空気調和装置の室外ユニット（１）であって、
前記機械室内に配置され、前記冷媒連絡配管が接続される閉鎖弁（３７、３８）と、
前記機械室内に配置された液溜容器（３３）と、
前記ケーシングの底板（２１）に固定され、前記液溜容器の下側に前記冷媒連絡配管を配置することが可能な配管配置空間（Ｓ6）を確保しつつ、前記液溜容器の下部を支持する下方支持部材（４１）と、
を備えた空気調和装置の室外ユニット（１）。
【請求項２】
前記下方支持部材（４１）は、前記底板（２１）に固定され前記底板から上方に延びる第１脚部（４１ａ）と、前記底板との間に間隔を空けて前記第１脚部から側方に延び前記液溜容器（３３）の下部を支持する容器受け部（４１ｂ）とを有している、請求項１に記載の空気調和装置の室外ユニット（１）。
【請求項３】
前記下方支持部材（４１）は、前記第１脚部（４１ａ）との間に間隔を空けて前記容器受け部（４１ｂ）から下方に延び前記底板（２１）に固定される第２脚部（４１ｃ）をさらに有している、請求項２に記載の空気調和装置の室外ユニット（１）。
【請求項４】
前記下方支持部材（４１）は、前記第２脚部（４１ｃ）の少なくとも一部を構成する着脱側下方支持部材（４１ｄ）と、前記第１脚部（４１ａ）と前記容器受け部（４１ｂ）と前記第２脚部のうち前記着脱側下方支持部材を除く部分とを構成する固定側下方支持部材（４１ｅ）とに分割可能であり、
前記着脱側下方支持部材は、前記液溜容器が前記固定側下方支持部材に支持された状態で、前記固定側下方支持部材から着脱可能である、
請求項３に記載の空気調和装置の室外ユニット（１）。
【請求項５】
前記下方支持部材（４１）は、前記着脱側下方支持部材（４１ｄ）が前記ケーシングの一部（２４）に沿うように配置されており、
前記ケーシングの一部は、前記着脱側下方支持部材に対応する部分が開口している、
請求項４に記載の空気調和装置の室外ユニット（１）。
【請求項６】
前記閉鎖弁（３７、３８）は、前記ケーシング（２）の前面側に配置されており、
前記下方支持部材（４１）は、前記冷媒連絡配管（６１）が前記配管配置空間（Ｓ6）内を前記ケーシングの前面側から背面側に向かって貫通できるように配置されている、
請求項１〜５のいずれかに記載の空気調和装置の室外ユニット（１）。
【発明の詳細な説明】
【技術分野】
【０００１】
本発明は、空気調和装置の室外ユニット、特に、略直方体箱状のケーシングの内部が鉛直に延びる仕切板及び熱交換器の管板により送風機室と機械室とに分割された構造を有し、室内ユニットに冷媒連絡配管を介して接続される空気調和装置の室外ユニットに関する。
【背景技術】
【０００２】
従来の空気調和装置の室外ユニットとして、略直方体箱状のケーシングの内部が鉛直方向に延びる仕切板により送風機室と機械室とに分割された構造を有するものがある。この送風機室には、主に、室外熱交換器及び室外ファンが配置されている。また、機械室には、主に、圧縮機、アキュムレータやレシーバ等の液冷媒を溜めることが可能な液溜容器、弁類や冷媒配管が配置されている。このような室外ユニットは、通常、空調室との距離が比較的近い場所に配置されており、また、１台の室内ユニットに冷媒連絡配管を介して接続されている。
【０００３】
ところで、このような室外ユニットを空調室から離れた場所に配置することにより冷媒連絡配管が長くなる場合や、複数の室内ユニットに接続することによりマルチ式の空気調和装置として使用する場合には、空気調和装置全体で保有しなければならない冷媒量が増加することになるため、液溜容器の容量を大きくしなければならない。これに対して、機械室に配置された液溜容器とは別の液溜容器を送風機室に追加設置することによって液溜容器全体の容量を増加させることが考えられる（例えば、特許文献１参照。）。
【０００４】
しかし、このように液溜容器を送風機室に設置すると、室外ファンの送風性能を低下させたり、ケーシング内における機器や冷媒配管の平面的な配置を大幅に変更することになってしまう。このため、機械室に設置された液溜容器のサイズを大きくすることによって容量を増加させることが考えられるが、この場合、液溜容器の容量の増加に伴って液溜容器の重量が増加するため、液溜容器の重量をケーシングの底板で受ける必要が生じる。
【０００５】
また、冷媒連絡配管との接続を行うための閉鎖弁がケーシング内に配置された室外ユニットもある。このような室外ユニットでは、機械室内のケーシングの底板付近の空間を利用して、現地において閉鎖弁に接続される冷媒連絡配管をケーシングの前面側、側面側や背面側等の方向に取り出せるようにしている。このため、上記のように、冷媒連絡配管を長くしたり、複数の室内ユニットに接続することによりマルチ式の空気調和装置として使用することを目的として、液溜容器の容量を大きくすると、機械室内のケーシングの底板付近の空間が狭くなるため、冷媒連絡配管の取り出し方向に制約が生じてしまう。
【特許文献１】特開２００１−１７３９９８号公報
【発明の開示】
【発明が解決しようとする課題】
【０００６】
本発明の課題は、略直方体箱状のケーシングの内部が鉛直方向に延びる仕切板により送風機室と機械室とに分割された構造を有する室外ユニットにおいて、液溜容器のサイズを大きくする場合であっても、機械室内において閉鎖弁に接続される冷媒連絡配管の取り出し方向に制約が生じないようにすることにある。
【課題を解決するための手段】
【０００７】
請求項１に記載の空気調和装置の室外ユニットは、略直方体箱状のケーシングの内部が鉛直に延びる仕切板及び熱交換器の管板により送風機室と機械室とに分割された構造を有し、室内ユニットに冷媒連絡配管を介して接続される空気調和装置の室外ユニットであって、機械室内に配置され冷媒連絡配管が接続される閉鎖弁と、機械室内に配置された液溜容器と、液溜容器の下部を支持する下方支持部材とを備えている。下方支持部材は、ケーシングの底板に固定され、液溜容器の下側に冷媒連絡配管を配置することが可能な配管配置空間を確保することができる。
【０００８】
この空気調和装置の室外ユニットでは、下方支持部材によって液溜容器の下方に配管配置空間を確保することができるため、液溜容器のサイズを大きくする場合であっても、液溜容器の下部を支持しつつ、ケーシング内における冷媒連絡配管の取り回しが可能となる。これにより、現地において機械室内において閉鎖弁に接続される冷媒連絡配管の取り出し方向に制約が生じないようにすることができる。
【０００９】
請求項２に記載の空気調和装置の室外ユニットは、請求項１において、下方支持部材は、底板に固定され底板から上方に延びる第１脚部と、底板との間に間隔を空けて第１脚部から側方に延び液溜容器の下部を支持する容器受け部とを有している。
この空気調和装置の室外ユニットでは、ケーシングの底板と、下方支持部材を構成する第１脚部及び容器受け部とによって、冷媒連絡配管の取り回しが可能となる配管配置空間が形成されている。
【００１０】
請求項３に記載の空気調和装置の室外ユニットは、請求項２において、下方支持部材は、第１脚部との間に間隔を空けて容器受け部から下方に延び底板に固定される第２脚部をさらに有している。
この空気調和装置の室外ユニットでは、下方支持部材が第２脚部をさらに有しているため、容器受け部が第１脚部及び第２脚部の両方で支持されることになり、下方支持部材の強度を高めることができる。
【００１１】
請求項４に記載の空気調和装置の室外ユニットは、請求項３において、下方支持部材は、第２脚部の少なくとも一部を構成する着脱側下方支持部材と、第１脚部と容器受け部と第２脚部のうち着脱側下方支持部材を除く部分とを構成する固定側下方支持部材とに分割可能である。着脱側下方支持部材は、液溜容器が固定側下方支持部材に支持された状態で、固定側下方支持部材から着脱可能である。
【００１２】
この空気調和装置の室外ユニットでは、下方支持部材が、底板に固定されるとともに液溜容器の下部を支持する固定側下方支持部材と、固定側下方支持部材に着脱可能な着脱側下方支持部材とから構成されている。このため、着脱側下方支持部材を装着している場合には、容器受け部が第１脚部及び第２脚部の両方で支持されることになるため、下方支持部材の強度が高くなる。また、着脱側下方支持部材を取り外している場合には、下方支持部材の側方の着脱側下方支持部材を取り外した場所から配管配置空間内に冷媒連絡配管を案内することができるため、現地における配管施工の作業性が向上する。
【００１３】
請求項５に記載の空気調和装置の室外ユニットは、請求項４において、下方支持部材は、着脱側下方支持部材がケーシングの一部に沿うように配置されている。ケーシングの一部は、着脱側下方支持部材に対応する部分が開口している。
この空気調和装置の室外ユニットでは、着脱側下方支持部材が、例えば、ケーシングの一部（例えば、側板）に沿うように配置され、かつ、ケーシングの一部の着脱側下方支持部材に対応する部分が開口しているため、ケーシングの一部を取り外すことなく、着脱側下方支持部材を取り外すことができるようになる。これにより、ケーシングの一部の着脱側下方支持部材に対応する部分の開口から配管配置空間内に冷媒連絡配管を案内することができるため、現地における配管施工の作業性が向上する。
【００１４】
請求項６に記載の空気調和装置の室外ユニットは、請求項１〜５のいずれかにおいて、閉鎖弁は、ケーシングの前板側に配置されている。下方支持部材は、冷媒連絡配管が配管配置空間内をケーシングの前面側から背面側に向かって貫通できるように配置されている。
この空気調和装置の室外ユニットでは、閉鎖弁がケーシングの前板側に配置されている場合であっても、下方支持部材によって液溜容器の下方に配管配置空間が確保されているため、冷媒連絡配管の背面取り出しが可能になる。これにより、現地において機械室内において閉鎖弁に接続される冷媒連絡配管の取り出し方向に制約が生じないようにすることができる。
【発明の効果】
【００１５】
以上の説明に述べたように、本発明によれば、以下の効果が得られる。
請求項１にかかる発明では、下方支持部材によって液溜容器の下方に配管配置空間を確保することができるため、液溜容器のサイズを大きくする場合であっても、液溜容器の下部を支持しつつ、ケーシング内における冷媒連絡配管の取り回しが可能となる。これにより、現地において機械室内において閉鎖弁に接続される冷媒連絡配管の取り出し方向に制約が生じないようにすることができる。
【００１６】
請求項２にかかる発明では、ケーシングの底板と、下方支持部材を構成する第１脚部及び容器受け部とによって、冷媒連絡配管の取り回しが可能となる配管配置空間が形成されている。
請求項３にかかる発明では、下方支持部材が第２脚部をさらに有しているため、容器受け部が第１脚部及び第２脚部の両方で支持されることになり、下方支持部材の強度を高めることができる。
【００１７】
請求項４にかかる発明では、着脱側下方支持部材を装着している場合には、容器受け部が第１脚部及び第２脚部の両方で支持されることになるため、第１下方支持部材の強度が高くなる。また、着脱側下方支持部材を取り外している場合には、下方支持部材の側方の着脱側下方支持部材を取り外した場所から配管配置空間内に冷媒連絡配管を案内することができるため、現地における配管施工の作業性が向上する。
【００１８】
請求項５にかかる発明では、着脱側下方支持部材が、例えば、ケーシングの一部に沿うように配置され、かつ、ケーシングの一部の着脱側下方支持部材に対応する部分が開口しているため、ケーシングの一部を取り外すことなく、着脱側下方支持部材を取り外すことができるようになる。これにより、ケーシングの一部の着脱側下方支持部材に対応する部分の開口から配管配置空間内に冷媒連絡配管を案内することができるため、現地における配管施工の作業性が向上する。
【００１９】
請求項６にかかる発明では、閉鎖弁がケーシングの前面側に配置されている場合であっても、下方支持部材によって液溜容器の下方に配管配置空間が確保されているため、冷媒連絡配管の背面取り出しが可能になる。これにより、現地において機械室内において閉鎖弁に接続される冷媒連絡配管の取り出し方向に制約が生じないようにすることができる。
【発明を実施するための最良の形態】
【００２０】
以下、本発明にかかる空気調和装置の室外ユニットの実施形態について、図面に基づいて説明する。
（１）室外ユニットの全体構造
図１は、本発明にかかる空気調和装置の室外ユニットの一実施形態が採用された室外ユニット１を示す斜視図（ユニットケーシングの右前板、天板、ファングリル及び室外ファンを取り除いて図示）である。また、図２は、図１の室外ユニット１から左前板２２、左側板２３、右側板２４及び熱交換器３１を除いて示した図である。この室外ユニット１は、空調室外に設置されており、略直方体箱状のユニットケーシング２の内部が鉛直に延びる仕切板２５及び熱交換器３１の管板２６により送風機室Ｓ1と機械室Ｓ2とに分割されたトランク型の構造を有するものである。この室外ユニット１は、空調室内に配置される室内ユニット（図示せず）に冷媒連絡配管（図示せず）を介して接続されている。
【００２１】
室外ユニット１は、主に、略箱状のユニットケーシング２と、室外ファン（図示せず）と、熱交換器３１、圧縮機３２やレシーバ３３等の機器、弁及び配管等の部材を含み冷媒回路を構成する冷媒回路構成部品３と、室外ユニット１の運転制御を行う電装品ユニット５とを備えている。尚、本実施形態の室外ユニット１では、室内ユニットが設置された空調室から離れた場所に配置できるようにするため、あるいは、複数の室内ユニットに接続してマルチ式の空気調和装置として使用できるようにするために、液溜容器としてのレシーバ３３の容量を大きくするようにしている。具体的には、レシーバ３３の高さ寸法を大きくすることによって、レシーバ３３の容量を大きくするようにしている。
【００２２】
＜ユニットケーシング＞
ユニットケーシング２は、主に、底板２１と、天板（図示せず）と、左前板２２と、左側板２３と、右前板（図示せず）と、右側板２４と、仕切板２５と、管板２６とを備えている。
底板２１は、ユニットケーシング２の下面部分を構成する横長の略長方形状の金属製の板状部材である。底板２１の周縁部は、上向きに折り曲げられている。底板２１の下面には、現地据付面に固定される２つの固定脚２１ａが設けられている。
【００２３】
天板は、室外ユニット１の上面部分を構成する横長の略長方形状の金属製の板状部材である。
左前板２２は、主に、ユニットケーシング２の左前面部分を構成する金属製の板状部材であり、その下部が底板２１にネジ等により固定されている。左前板２２には、室外ファンによってユニットケーシング２の背面側及び左側面側から内部に取り込まれた空気を外部に吹き出すための吹出口２２ａが設けられている。吹出口２２ａは、本実施形態において、上下に並んで２つ設けられている。また、各吹出口２２ａには、ファングリル（図示せず）が設けられている。
【００２４】
左側板２３は、主に、ユニットケーシング２の左側面部分を構成する金属製の板状部材であり、その下部が底板２１にネジ等により固定されている。この左側板は、室外ファンによってユニットケーシング２内に吸入される空気の吸入口としても機能できるようになっている。
右前板は、主に、ユニットケーシング２の右前面部分及び右側面の前側部分を構成する金属製の板状部材であり、その下部が底板２１にネジ等により固定されている。また、右前板は、その左側部が左前板２３の右側部にネジ等により固定されている。
【００２５】
右側板２４は、主に、ユニットケーシング２の右側面の後側部分及び背面の右側部分を構成する金属製の板状部材であり、その下部が底板２１にネジ等により固定されている。尚、本実施形態において、右側板２４は、その角部の下部が切り欠かれており、図示しない別の板状部材や右前板によって、その切り欠き部分を覆うことができるようになっている。
【００２６】
仕切板２５は、底板２１に対して鉛直に延びる金属製の板状部材であり、ユニットケーシング２の内部空間を左右２つの空間に仕切るように配置されている。仕切板２５は、その下部が底板２１にネジ等により固定されている。また、左前板２２の右側部は、仕切板２５のユニットケーシング前面側の端部にネジ等により固定されている。
管板２６は、ユニットケーシング２の左側面から背面に沿うように配置された略Ｌ字形状の熱交換器３１の背面側の端面に対応するように設けられた金属製の板状部材であり、その下部が底板２１にネジ等により固定されている。そして、管板２６のユニットケーシング前面側の端部と仕切板２５のユニットケーシング背面側の端部とは、互いにネジ等により固定されている。また、右側板２４の背面側の端部は、管板２６のユニットケーシング背面側の端部にネジ等により固定されている。
【００２７】
このように、ユニットケーシング２は、その内部空間が鉛直に延びる仕切板２５及び熱交換器３１の管板２６により送風機室Ｓ1と機械室Ｓ2とに分割されている。より具体的には、送風機室Ｓ1は、底板２１と、天板と、左前板２２と、左側板２３と、仕切板２５と、管板２６とによって囲まれた空間であり、送風ファンや熱交換器３１が配置されている。機械室Ｓ2は、底板２１と、天板と、右前板と、右側板２４と、仕切板２５と、管板２６とによって囲まれた空間であり、圧縮機３２やレシーバ３３等の機器、弁及び配管等の部材を含み冷媒回路を構成する冷媒回路構成部品３（但し、熱交換器３１を除く）と、電装品ユニット５とが配置されている。このユニットケーシング２では、図１に示されるように、右前板を取り外すことによって、機械室Ｓ2の内部が見えるようになっている。
【００２８】
＜室外ファン＞
室外ファンは、複数の翼を有するプロペラファンであり、送風機室Ｓ1内の熱交換器３１の前面側に配置されている。この室外ファンを回転駆動すると、ユニットケーシング２の背面及び左側面を通じて内部に空気が取り込まれて、熱交換器３１を通過した後、左前板２２の吹出口２２ａからユニットケーシング２の外部へ空気が吹き出されるようになっている。
【００２９】
＜冷媒回路構成部品＞
冷媒回路構成部品３は、図３及び図４に示されるように、熱交換器３１、圧縮機３２、レシーバ３３、四路切換弁３４、電動膨張弁３５、油分離器３６及び閉鎖弁３７、３８等を備えている。ここで、図３は、図１の室外ユニット１の平面図（図１の室外ユニット１から左前板２２、左側板２３、右側板２４及び電装品ユニット５を取り除いて図示）である。図４は、図３のＡ矢視図である。
【００３０】
熱交換器３１は、送風機室Ｓ1に配置されており、室外ファンによってユニットケーシング２内に取り込まれた空気との間で熱交換を行う。熱交換器３１は、ユニットケーシング２の左側面から背面に沿うように配置された略Ｌ字形状の熱交換器である。
圧縮機３２は、機械室Ｓ2下部の略中央の位置に配置されており、底板２１に支持されている。圧縮機３２は、冷媒回路内を流れる低圧のガス冷媒を圧縮して昇圧するための機器である。
【００３１】
レシーバ３３は、機械室Ｓ2の右側板２４の角部近傍の位置に配置されており、その下部が底板２１により支持され、その側部が管板２６及び右側板２４によって支持されている。レシーバ３３は、冷媒回路内を流れる冷媒を溜めるために設けられており、本実施形態において、縦長の略円筒形状の容器である。このレシーバ３３の上側には、電装品ユニット５の上部電装品ユニット５１（後述）が配置される空間Ｓ3が設けられている。また、レシーバ３３の下側には、閉鎖弁３７、３８に接続される冷媒連絡配管をユニットケーシング２の背面側から取り出すための空間Ｓ6（配管配置空間）が設けられている。尚、このレシーバ３３の支持構造の詳細については、後述する。
【００３２】
四路切換弁３４は、機械室Ｓ2の上下方向及び左右方向ともに略中央の位置に配置されている。四路切換弁３４は、冷房運転及び暖房運転の切換に応じて冷媒回路内を流れる冷媒の向きを変更するための弁である。
電動膨張弁３５は、機械室Ｓ2内において四路切換弁３４の右下側に配置されている。電動膨張弁３５は、冷媒回路内を流れる高圧の液冷媒の減圧操作及び流量調節を行うための弁である。
【００３３】
油分離器３６は、機械室Ｓ2内において四路切換弁３４の左側に配置されている。油分離器３６は、圧縮機３２の吐出側に接続されており、圧縮機３２から吐出される高圧のガス冷媒に混入する冷凍機油をガス冷媒中から分離して圧縮機３２の吸入側に戻すための機器である。
閉鎖弁３７、３８は、本実施形態の室外ユニット１においては、ユニットケーシング２の機械室Ｓ2内において右前板の近傍に配置されている。具体的には、閉鎖弁３７、３８は、右前板の角部近傍の位置、すなわち、レシーバ３３の前側に配置されている。そして、本実施形態の室外ユニット１では、冷媒連絡配管がユニットケーシング２内において、閉鎖弁３７、３８に接続されるようになっている。また、閉鎖弁３７、３７の上側には、右前板の内面に沿うように、空間Ｓ4が設けられており、電装品ユニット５の下部電装品ユニット５２（後述）が配置されている。さらに、閉鎖弁３７、３８の下側には、閉鎖弁３７、３８に接続された冷媒連絡配管をユニットケーシング２内から前面側、底面側及び側面側から取り出すための空間Ｓ5が設けられている。
【００３４】
＜電装品ユニット＞
電装品ユニット５は、運転制御を行うためのマイコン等を含む制御Ｐ板やインバータ等の各種電気部品を備えている。本実施形態において、電装品ユニット５は、主に、機械室Ｓ2の上部の空間Ｓ3に配置された上部電装品ユニット５１と、機械室Ｓ2の右前板の内面に沿うように形成された空間Ｓ4に配置された下部電装品ユニット５２とから構成されている。
【００３５】
上部電装品ユニット５１は、主に、インバータ回路やリアクタ等の発熱量の大きな高発熱部品を有している。上部電装品ユニット５１は、主に、図１及び図２に示されるように、右前板（図示せず）の内面に沿って配置される第１上部基板５１ａと、仕切板２５に沿って配置される第２上部基板５１ｂとから構成されており、互いがステー５１ｃによって固定されている。
【００３６】
下部電装品ユニット５２は、主に、マイコン等を含む制御Ｐ板のような低発熱部品を有している。
このように、電装品ユニット５は、本実施形態において、上部電装品ユニット５１と下部電装品ユニット５２とからなる分割構造として、機械室Ｓ2内に配置された冷媒回路構成部品３との干渉を避けて配置されている。
【００３７】
（２）レシーバの支持構造
次に、レシーバ３３の支持構造について、図２〜図６を用いて説明する。ここで、図５は、レシーバ３３にレシーバ当て板４２、４３（側方支持部材）が装着され、かつ、レシーバ取付板４１（下方支持部材）にレシーバ３３が装着された状態を示す斜視図である。図６は、レシーバ３３にレシーバ当て板４２、４３が装着され、かつ、レシーバ取付板４１にレシーバ３３が装着された状態を示す斜視図である。
【００３８】
レシーバ３３の支持構造は、主に、レシーバ取付板４１と複数（本実施形態では、２つ）のレシーバ当て板４２、４３とを有している。
レシーバ取付板４１は、ユニットケーシング２の底板２１に固定され、レシーバ３３の下部を支持している。レシーバ取付板４１は、レシーバ３３の下側に冷媒連絡配管６１（図６において２点鎖線により図示）を配置することが可能な空間Ｓ6を確保しつつ、レシーバ３３の下部を支持している。具体的には、レシーバ取付板４１は、底板２１に固定され底板２１から上方に延びる第１脚部４１ａと、底板２１との間に間隔を空けて第１脚部４１ａから側方に延びレシーバ３３の下部を支持する容器受け部４１ｂとを有している。第１脚部４１ａは、その下端に、側方に向かって延びる平板部分が形成されており、この部分において底板２１にネジ等により固定されている。すなわち、底板２１と第１脚部４１ａと容器受け部４１ｂとによって、冷媒連絡配管の配置を可能にする空間Ｓ6が形成されている。本実施形態において、レシーバ取付板４１は、冷媒連絡配管６１をユニットケーシング２の前後方向に向かって取り出すことができるように配置されている。これにより、閉鎖弁３７、３８に接続された冷媒連絡配管６１は、閉鎖弁３７、３８の下側に形成された空間Ｓ5及び空間Ｓ6を通じて、ユニットケーシング２の背面側に取り出すことができるようになっている。すなわち、室外ユニット１では、閉鎖弁３７、３８に接続された冷媒連絡配管６１を、空間Ｓ5を通じて前面側、底面側、及び側面側から取り出すことができるのに加えて、空間Ｓ5および空間Ｓ6を通じて背面側から取り出すことができるようになっており（図６参照）、現地において閉鎖弁３７、３８に接続される冷媒連絡配管６１の取り出し方向に制約が生じないようになっている。
【００３９】
また、レシーバ取付板４１は、第１脚部４１ａとの間に間隔を空けて容器受け部４１ｂから下方に延び底板２１に固定される第２脚部４１ｃをさらに有しており、略逆Ｕ字形状の板状部材となっている。これにより、容器受け部４１ｂが２つの脚部４１ａ、４１ｃによって支持されるようになり、レシーバ取付板４１の強度が高くなっている。
さらに、第２脚部４１ｃの下部は、着脱脚部材４１ｄ（着脱側下方支持部材）として、他の部分、すなわち、第１脚部４１ａと容器受け部４１ｂと第２脚部４１ｃの上部とを構成する固定脚部材４１ｅ（固定側下方支持部材）から取り外すことが可能になっている（図６参照）。より具体的には、着脱脚部材４１ｄの上端部は固定脚部材４１ｅにネジ等により固定されており、着脱脚部材４１ｄの下端部は底板２１にネジ等によって固定されている。しかも、着脱脚部材４１ｄは右側板２４に沿うように配置されており、かつ、右側板２４の着脱脚部材４１ｄに対応する部分は切り欠かれている。このため、着脱脚部材４１ｄは、右側板２４を取り外すことなく、固定脚部材４１ｅから取り外すことができるようになっている。これにより、着脱脚部材４１ｄを固定脚部材４１ｅに装着している場合には、レシーバ取付板４１の強度が高くなり、着脱脚部材４１ｄを固定脚部材４１ｅから取り外している場合には、冷媒連絡配管６１をレシーバ取付板４１の側方から空間Ｓ6内に案内することができるため、現地における配管施工の作業性を向上させることができる。
【００４０】
レシーバ当て板４２、４３は、仕切板２５、管板２６及び右側板２４の少なくとも１つに固定され、レシーバ３３の側部を支持している。そして、レシーバ当て板４２、４３は、レシーバ３３の平面視において、互いに異なる方向に延びている。本実施形態において、レシーバ当て板４２、４３は、レシーバ３３の平面視において互いが略直交するように延びている。具体的には、レシーバ当て板４２は、レシーバ３３の側部に溶接等によって固定され、ユニットケーシング２の左方に向かって延びる板状部材であり、その端部が管板２６にネジ等により固定されている。レシーバ当て板４３は、レシーバ３３の側部に溶接等によって固定され、ユニットケーシング２の前方に向かって延びる板状部材であり、その端部が右側板２４にネジ等により固定されている。しかも、レシーバ当て板４２、４３は、レシーバ３３の側部の上部を支持している。
【００４１】
このように、このレシーバ３３の支持構造では、レシーバ３３の下部をレシーバ取付板４１によって支持するとともに、レシーバ３３の側部を支持するレシーバ当て板４２、４３を平面視において互いが異なる方向に延びるように複数個設けることによって、強度の高い支持構造が実現されているため、本実施形態のように、レシーバ３３の高さ寸法を大きくしての容量が増加させることによってレシーバ３３自体の重量が増加するような場合であっても、室外ユニット１の輸送時の振動や落下の衝撃に対して十分な耐力を確保することができるようになっている。また、レシーバ当て板４２、４３は、レシーバ３３の側部の上側部分を支持しているため、レシーバ３３の倒れに対して強い支持構造を構成している。
【００４２】
（３）室外ユニットの特徴
本実施形態の空気調和装置の室外ユニット１には、以下のような特徴がある。
（Ａ）
本実施形態の室外ユニット１では、レシーバ取付板４１によって液溜容器の下方に冷媒連絡配管を配置することが可能な空間Ｓ6を確保することができるため、レシーバ３３のサイズを大きくする場合であっても、レシーバ３３の下部を支持しつつ、ユニットケーシング２内における冷媒連絡配管の取り回しが可能となっている。これにより、現地において機械室Ｓ2内において閉鎖弁３７、３８に接続される冷媒連絡配管の取り出し方向に制約が生じないようにすることができる。
【００４３】
特に、本実施形態の室外ユニット１では、閉鎖弁３７、３８がユニットケーシング２の右前板側という冷媒連絡配管を背面取り出しするのに困難な位置に配置されている。しかし、このような位置に閉鎖弁３７、３８が配置されている場合であっても、レシーバ取付板４１によってレシーバ３３の下方に空間Ｓ6が確保されているため、冷媒連絡配管の背面取り出しを行うことが可能になっている。
【００４４】
（Ｂ）
本実施形態のレシーバ取付板４１は、底板２１に固定され底板２１から上方に延びる第１脚部４１ａと、底板２１との間に間隔を空けて第１脚部４１ａから側方に延びレシーバ３３の下部を支持する容器受け部４１ｂとを有しており、これにより、レシーバ３３の下部を支持できるようになっている。また、レシーバ取付板４１は、第１脚部４１ａとの間に間隔を空けて容器受け部４１ｂから下方に延び底板２１に固定される第２脚部４１ｃをさらに有しており、容器受け部４１ｂが第１脚部４１ａ及び第２脚部４１ｃの両方で支持されることになり、レシーバ取付板４１の強度を高められている。
【００４５】
（Ｃ）
本実施形態の室外ユニット１では、レシーバ取付板４１が、第２脚部４１ｃの少なくとも一部を構成する着脱脚部材４１ｄと、第１脚部４１ａと容器受け部４１ｂと第２脚部４１ｃのうち着脱脚部材４１ｄを除く部分とを構成する固定脚部材４１ｅとに分割可能である。しかも、着脱脚部材４１ｄは、レシーバ３３が固定脚部材４１ｅに支持された状態で、固定脚部材４１ｅから着脱可能になっている。すなわち、レシーバ取付板４１は、底板２１に固定されるとともにレシーバ３３の下部を支持する固定脚部材４１ｅと、固定脚部材４１ｅに着脱可能な着脱脚部材４１ｄとから構成されている。これにより、着脱脚部材４１ｄを装着している場合には、容器受け部４１ｂが第１脚部４１ａ及び第２脚部４１ｃの両方で支持されることになるため、レシーバ取付板４１の強度が高くなる。また、着脱脚部材４１ｄを取り外している場合には、レシーバ取付板４１の側方の着脱脚部材４１ｄを取り外した場所から空間Ｓ6内に冷媒連絡配管を案内することができるため、現地における配管施工の作業性が向上する。
【００４６】
また、本実施形態の室外ユニット１では、着脱脚部材４１ｄが、ユニットケーシング２の一部としての右側板２４に沿うように配置され、かつ、右側板２４の着脱脚部材４１ｄに対応する部分が切り欠かれて開口しているため、右側板２４を取り外すことなく、着脱脚部材４１ｄを取り外すことができるようになる。これにより、ユニットケーシング２の一部（具体的には、右側板２４）の着脱脚部材４１ｄに対応する部分の切り欠き開口から空間Ｓ6内に冷媒連絡配管を案内することができるため、現地における配管施工の作業性が向上する。
【００４７】
（４）他の実施形態
以上、本発明の実施形態について図面に基づいて説明したが、具体的な構成は、これらの実施形態に限られるものではなく、発明の要旨を逸脱しない範囲で変更可能である。
（Ａ）
前記実施形態では、レシーバの支持構造として本発明を適用したが、液冷媒を溜めることが可能な液溜容器であればどのようなものにも適用可能であり、例えば、アキュムレータを含む冷媒回路を備えた空気調和装置の室外ユニットにおいては、アキュムレータの支持構造として本発明を適用してもよい。
【００４８】
（Ｂ）
前記実施形態では、機械室内において閉鎖弁が前面側に配置されているが、これに限定されない。例えば、閉鎖弁が背面側に配置されている場合には、レシーバを前面側に配置することとなり、前面取り出しを行うのが困難になるが、この場合でも、本発明にかかるレシーバ取付板を用いることによって冷媒連絡配管を取り回しすることができる空間を形成することができるため、冷媒連絡配管の前面取り出しが可能になる。
【００４９】
（Ｃ）
前記実施形態では、レシーバが右側板の角部近傍に配置されているため、レシーバ取付板の第２脚部が右側板の角部に沿って配置されているが、これに限定されず、例えば、レシーバが右前板の角部に配置されている場合には、レシーバ取付板の第２脚部が右前板の角部に沿って配置されていてもよい。
【産業上の利用可能性】
【００５０】
本発明を利用すれば、略直方体箱状のケーシングの内部が鉛直方向に延びる仕切板により送風機室と機械室とに分割された構造を有する室外ユニットにおいて、液溜容器のサイズを大きくする場合であっても、機械室内において閉鎖弁に接続される冷媒連絡配管の取り出し方向に制約が生じないようにすることができる。
【図面の簡単な説明】
【００５１】
【図１】本発明にかかる空気調和装置の室外ユニットの一実施形態が採用された室外ユニットを示す斜視図（ユニットケーシングの右前板、天板、ファングリル及び室外ファンを取り除いて図示）である。
【図２】図１の室外ユニットから左前板、左側板、右側板及び熱交換器を除いて示した図である。
【図３】図１の室外ユニットの平面図（図１の室外ユニットから左前板、左側板、右側板及び電装品ユニットを取り除いて図示）である。
【図４】図３のＡ矢視図である。
【図５】レシーバにレシーバ当て板が装着され、かつ、レシーバ取付板にレシーバが装着された状態を示す斜視図である。
【図６】レシーバ取付板の着脱脚部材を取り外した状態を示す斜視図である。
【符号の説明】
【００５２】
１  室外ユニット
２  ユニットケーシング
２１  底板
２４  右側板
２５  仕切板
２６  管板
３３  レシーバ
３７、３８  閉鎖弁
４１  レシーバ取付板
４１ａ  第１脚部
４１ｂ  容器受け部
４１ｃ  第２脚部
４１ｄ  着脱脚部材
４１ｅ  固定脚部材
Ｓ1  送風機室
Ｓ2  熱交換器室
Ｓ6  空間
【図１】
2005076923.tif 000003
【図２】
2005076923.tif 000004
【図３】
2005076923.tif 000005
【図４】
2005076923.tif 000006
【図５】
2005076923.tif 000007
【図６】
2005076923.tif 000008